(57)【要約】【課題】簡単に不正開封ができないようにするとともに、不正開封がされた場合でもそのことを容易に識別することのできる包装箱を提供すること。【解決手段】天面蓋１０の差し込み片１３に前側面７の上縁部に外側から差し込まれる切り込み形成された舌片１４を備え、この舌片１４が差し込まれる前側面７の部分に外側から押圧されることにより破断する開封部２０を備える。さらに、舌片１４に係止部を設け、開封部２０に舌片１４を前側面７の外側に差し込んだ際に、この係止部に係合可能な係合部を備える。【選択図】図５
2007191178.tif 000002
【特許請求の範囲】
【請求項１】
底面と前後左右の４つの側面と後側面の上縁部に連設された天面蓋とを備え、前記天面蓋の前端部に連設された差し込み片を前側面の内側に差し込んで蓋をし、前記天面蓋と前記前側面との間に封緘テープまたはラベルを貼着して固定する包装箱において、前記天面蓋の差し込み片に前記前側面の上縁部に外側から差し込まれる切り込み形成された舌片を備え、前記舌片が差し込まれる前記前側面の部分に外側から押圧されることにより破断して前記前側面から前記舌片とともに離脱可能な開封部を備えたことを特徴とする包装箱。
【請求項２】
前記舌片に係止部を設け、前記開封部に、前記差し込み片の前記前側面に対する差し込み終了時に前記係止部に係合する係合部を備えたことを特徴とする請求項１記載の包装箱。
【発明の詳細な説明】
【技術分野】
【０００１】
本発明は、物品を収納する紙製の包装箱に関する。
【背景技術】
【０００２】
商業経済において、一般消費財の多くは、内部の商品を保護し、商品を消費者にアッピールし、消費者の購買意欲を高めるために、包装箱に収納されて販売されている。包装箱は大型のものは段ボールが使用され、小型のものは厚紙が使用されている。図７は従来の厚紙製の包装箱の一例を示しており、１枚の厚紙をプレス成形により型取りしたものを組み立てたものである。図７において、この包装箱は、底面１０１と前後左右の側面１０２、１０３、１０４、１０５と天面蓋１０６、左右の補助蓋１０７、１０８および差し込み片１０９とで構成されている。前側面１０２の中央上縁から下部にかけて、開封のためのミシン目で囲まれた開封部１１０が形成されている。天面蓋１０６の先端部に連設された差し込み片１０９を前側面１０２の内側に差し込んで、封緘テープ１１１を、天面蓋１０６から開封部１１０にかけて貼着するようにしてある。
【０００３】
このような包装箱においては、内部の商品が盗まれたり、摩り替えられたり、収納商品が汚染されないように、最終的に封緘テープ１１１やラベルにより封止されるが、それでも不正を行おうとする者がいる。例えば、図７の包装箱では、図８に示すように、天面蓋１０６と前側面１０２との間の隙間１１２にカッターナイフの刃先を差し込んで、封緘テープ１１１を切断するような不正が行われる。このような包装箱の不正開封や改ざんは極力防止しなければならず、それを目的とした発明もなされている（例えば、特許文献１参照）。
【特許文献１】特開２００５−２９８０４９号公報
【発明の開示】
【発明が解決しようとする課題】
【０００４】
包装箱の不正開封防止は、法規で規定されている場合もある。例えば、薬事法施行規則第５９条には、「封を開かなければ医薬品を取り出すことができず、かつ、封を開いた後には容易に現状に復することができないように施さなければならない。」と規定されている。特に、上記のようにカッターナイフ等により封緘テープを切断した場合には、目視では切断されていることを確認しにくいので、そのまま商品が流通して消費者の手に渡ってしまい、信頼性および品質の点で問題が生じることがあった。
【０００５】
本発明は、このような従来の問題を解決するためになされたもので、簡単に不正開封ができないようにするとともに、不正開封がされた場合でもそのことを容易に識別することのできる包装箱を提供することを目的とする。
【課題を解決するための手段】
【０００６】
本発明の包装箱は、底面と前後左右の４つの側面と後側面の上縁部に連設された天面蓋とを備え、前記天面蓋の前端部に連設された差し込み片を前側面の内側に差し込んで蓋をし、前記天面蓋と前記前側面との間に封緘テープまたはラベルを貼着して固定する包装箱において、前記天面蓋の差し込み片に前記前側面の上縁部に外側から差し込まれる切り込み形成された舌片を備え、前記舌片が差し込まれる前記前側面の部分に外側から押圧されることにより破断して前記前側面から前記舌片とともに離脱可能な開封部を備えたことを特徴とする。
【０００７】
この構成によれば、天面蓋と前側面との隙間は、前側面の外側に差し込まれた舌片により中断されるので、封緘テープまたはラベルを天面蓋から開封部にかけて貼着することにより、カッターナイフの刃先を天面蓋と前側面との隙間に差し込んで封緘テープまたはラベルを切断しようとしても、容易に切断することができない。このため、不正開封を防止することができる。また、開封部を指で押し込むことにより不正に開封した場合には、開封したことを開封部の離脱により容易に見分けることができる。
【０００８】
また、本発明の包装箱は、前記舌片に係止部を設け、前記開封部に、前記差し込み片の前記前側面に対する差し込み終了時に前記係止部に係合する係合部を備えたことを特徴とする。
【０００９】
このような構成、例えば舌片の両側に連続して係止部を切り込み形成し、開封部の上縁両側にこの係止部に係合可能な係合片を設けることにより、差し込み片を前側面に完全に差し込んだ場合には、舌片の両側に形成した係止部が開封部に形成した係合部に係合してロックされるので、たとえカッターナイフ等で封緘テープまたはラベルを切断したとしても、天面蓋を容易に開けることができず、無理矢理に開ければ、包装箱が変形したり、係合部が破損するので、不正開封を容易に見分けることができる。
【発明の効果】
【００１０】
本発明の包装箱は、天面蓋の差し込み片に前側面の上縁部に外側から差し込まれる切り込み形成された舌片を設けるとともに、舌片が差し込まれる前側面の部分に外側から押圧されることにより破断して前側面から舌片とともに離脱可能な開封部を備えているので、簡単に不正開封ができず、また、不正開封がされた場合にはそのことを容易に識別することができるため、収納商品の信頼性および品質を維持することができる。
【発明を実施するための最良の形態】
【００１１】
以下、本発明の実施の形態について、図面を用いて説明する。図１は本実施の形態におけるプレス成形で型抜きされた包装箱の展開した状態を示している。図１において、底面は主底面１、右補助底面２、押え底面３および左補助底面４で構成される。側面は後側面５、右側面６、前側面７、左側面８および糊代９で構成される。天面は天面蓋１０、右補助蓋１１、左補助蓋１２および差し込み片１３で構成される。天面蓋１０の前端縁に連設された差し込み片１３の中央部には、半円状の舌片１４が切り込み形成され、舌片１４の両側には、舌片１４とは逆向きの小さな円弧状の係止部１５、１６が連続して切り込み形成されている。さらに、舌片１４の中央部には縦方向にスリット１７が形成され、このスリット１７により舌片１４が引き起こしやすくなっている。一方、前側面７の上縁部７ａには、係止部１５、１６に係合可能な疣状の係合部１８、１９が切り込み形成されており、その下部には、親指程度の大きさに周囲をミシン目２０ａで囲まれた開封部２０が形成されている。また、右補助底面２および左補助底面４には、それぞれ糊代２１、２２が連設されている。
【００１２】
図２は本実施の形態における包装箱の組み立て過程を説明する斜視図である。右補助底面２および左補助底面４の糊代２１および２２のみが外側に折り曲げられ、その他は全て内側に折り曲げられる。右補助底面２および左補助底面４のみが外側に折り曲げられるのは、糊代２１および２２の内側に外側から糊を塗布しやすくするためである。まず、主底面１を内側に折り曲げ、各側面５、６、７、８を順次内側に折り曲げながら、押さえ底面３を主底面１の外側に折り曲げ、さらにその外側に補助底面２、４を折り曲げる。次いで、左側面８に連設された糊代９の外面に糊を塗布して後側面５の内面端部に接合し、右補助底面２および左補助底面４の糊代２１および２２の内面に外側から糊を塗布してそれぞれ主底面１および押え面３に接合する。これにより図３のような箱が完成する。そして、この箱に商品を収納して、差し込み片１３を前側面７の内側に差し込んで天面蓋１０を閉じる。
【００１３】
図４は天面蓋１０の差し込み片１３を前側面７の内側に差し込む際の動作の過程を示している。まず図４（ａ）において、差し込み片１３の先端部を前側面７の内側に差し込み、舌片１４が前側面７の外側に出るように差し込み片１３を押し込んでいく。そして、図４（ｂ）に示すように、舌片１４の両側の係止部１５、１６が係合部１８、１９に近づくようにさらに押し込んでいくと、係止部１５、１６が係合部１８、１９の切り込み１８ａ、１９ａの中に入り込んでいき、さらに押し込んで完全に押し込まれると、図４（ｃ）のように、係止部１５、１６が係合部１８、１９の下に潜り込んで係合部１８、１９と同一面内で係合する。この最終状態において、差し込み片１３の上縁１３ａと前側面７との上縁７ａとが一致する。これにより、差し込み片１３を持ち上げても、係止部１５、１６が係合部１８、１９に引っ掛かって簡単には持ち上げることができない。無理に持ち上げようとすると、差し込み片１３が変形するか、または係合部１８、１９が変形または破断される。したがって、不正開封を行った場合には、そのことを容易に識別することができる。
【００１４】
図４ａは、差し込み片１３の舌片と前側面７との係合の別の態様を示している。差し込み片１３の舌片２４は、差し込み片１３の上縁１３ａから半円状に形成され、その下部には矢印形状の係止部２５が連設されている。係止部２５の中央部には、下端部から舌片２４にかけて上下方向にスリット２５ａが形成されている。一方、前側面７の上縁７ａから下方にかけて周囲をミシン目２６ａで囲まれた開封部２６が形成され、開封部２６の中には、係止部２５が差し込まれる係合部であるスリット２７が形成されている。差し込み片１３の上縁１３ａから係止部２５の先端までの寸法と前側面７の上縁７ａからスリット２７までの寸法は略等しく、係止部２５の幅とスリット２７の幅は略等しい。
【００１５】
差し込み片１３の先端部を前側面７の内側に差し込み、舌片２４が前側面７の外側に出るように差し込み片１３を押し込んでいく。そして、舌片１４の係止部２５を前側面７のスリット２７の中に押し込んでいくと、係止部２５がスリット２５ａのために内側に撓んでスリット２７の中に入り込んでいき、差し込み片１３の上縁１３ａと前側面７との上縁７ａとが一致するまで押し込んだ時には、係止部２５の先端部はスリット２７の中に完全に入り込み、係止部２５は紙の弾性で元の状態に復帰し、スリット２７に係止される。したがって、差し込み片１３を無理に持ち上げようとしても、差し込み片１３が変形するか、または係止部２５が変形または破壊されるので、不正開封を行った場合には、そのことを容易に識別することができる。なお、係止部２５にスリット２５ａを設けなくても、係止部２５を斜めにして片方からスリット２７に挿入し、片方がスリット２７に入った後は、係止部２５をその方向にずらして、もう一方をスリット２７に差し込むようにしてもよい。また、係止部２５の先端形状は、突起状であれば任意に設定可能である。
【００１６】
この包装箱内に商品を詰め、上記のようにして、天面蓋１０を閉じた後、図５に示すように、封緘テープ２３またはラベルを天面蓋１０から舌片１４を通って開封部２０にかけて貼着する。これにより包装が完了する。このような包装箱は、天面蓋１０と前側面７との間の隙間が舌片１４によって中断され、その上に封緘テープ２３が貼着されているので、封緘テープ２３をカッターナイフ等で切断することが難しく、不正開封しようとする者の意欲を殺ぐことができる。さらに、カッターナイフ等で封緘テープ２３を切断できたとしても、図４、図４ａのようなロック構造により、天面蓋１０を容易に開けることができない。さらに、前側面の開封部２０を指で押し込んで、開封部２０共々天面蓋１０を開けた場合には、図６に示すように、前側面７に開封部２０が離脱した形跡が残るので、開封したことが一目瞭然となる。したがって、不正に開封した場合には、そのことを容易に認識することができる。
【００１７】
以上の説明では、厚紙を利用した包装箱について説明したが、段ボールを利用した包装箱についても同様に実施可能であり、収納する商品の種別は問わない。また、封緘テープまたはラベルは、一般的なものでも実施可能であるが、容易に切断できないもの、容易に切断できるが切断面ががたがたになって切断したことが一目瞭然になるようなもの、または剥がした痕跡が残るようなテープまたはラベルを使用すると、よりセキュリティ性が高くなる。
【図面の簡単な説明】
【００１８】
【図１】本発明の実施の形態における包装箱の展開平面図である。
【図２】本発明の実施の形態における包装箱の組み立てを説明する斜視図である。
【図３】本発明の実施の形態における包装箱の組み立て状態の斜視図である。
【図４】本発明の実施の形態における係止部と係合部との係合を説明する部分正面図である。
【図４ａ】本発明の実施の形態における別の係止部と係合部との係合を説明する部分正面図である。
【図５】本発明の実施の形態における包装箱の完成状態を示す斜視図である。
【図６】本発明の実施の形態における包装箱の開封状態を示す斜視図である。
【図７】従来の包装箱を示す斜視図である。
【図８】従来の包装箱の不正開封を説明する斜視図である。
【符号の説明】
【００１９】
１  主底面
２  右補助底面
３  押え底面
４  左補助底面
５  後側面
６  右側面
７  前側面
８  左側面
９  糊代
１０  天面蓋
１１  右補助蓋
１２  左補助蓋
１３  差し込み片
１４、２４  舌片
１５、１６、２５  係止部
１７  スリット
１８、１９、２７  係合部
２０、２６  開封部
２１、２２  糊代
２３  封緘テープ
【図１】
2007191178.tif 000003
【図２】
2007191178.tif 000004
【図３】
2007191178.tif 000005
【図４】
2007191178.tif 000006
【図４ａ】
2007191178.tif 000007
【図５】
2007191178.tif 000008
【図６】
2007191178.tif 000009
【図７】
2007191178.tif 000010
【図８】
2007191178.tif 000011